(57)【特許請求の範囲】
【請求項１】
浴室の天井に設けられて、前記浴室の空気とこの浴室に隣接する別室の空気とを排気する換気部及び前記浴室内を暖房する加熱部が収納された本体と、前記別室の天井に設けられた吸気口と、この吸気口に接続された吸気ダクトと、前記本体からの排気を屋外に導く排気ダクトと、前記本体と前記吸気ダクト、並びに前記本体と前記排気ダクトとの間に介在し、これらを連結するダクト統合管とを有する浴室暖房換気装置において、
前記ダクト統合管は、前記本体に接続されるダクト接合部と、前記排気ダクトに接続される排気ダクト接続部と、前記吸気ダクトに接続される吸気ダクト接続部とで構成され、
前記ダクト接合部は、内部が二つに区画され、その一方に前記本体から排気される空気が通る排気通路部を成し他方に本体へ吸気される空気が通る吸気通路部を成すと共に、前記排気通路部及び前記吸気通路部を本体に接続する第一の端部と、前記排気通路部を前記排気ダクト接続部に接続する第二の端部と、前記吸気通路部を前記吸気ダクト接続部に接続する第三の端部とを有し、
前記排気ダクト接続部と前記吸気ダクト接続部とは、前記ダクト接合部の第二の端部と第三の端部のどちらにも接続可能に構成することを特徴とする浴室暖房換気装置。
【請求項２】
前記ダクト接合部に、前記吸気通路部を前記吸気ダクト接続部に接続可能に構成された第四の端部を設けると共に、この第四の端部に接続される閉塞板を設け、この閉塞板と前記吸気ダクト接続部とは、前記ダクト接合部の第三の端部と第四の端部のどちらにも接続可能に構成することを特徴とする請求項１に記載の浴室暖房換気装置。
【請求項３】
直管形状とした前記吸気ダクト接続部と、直管形状とした前記排気ダクト接続部とを備えたことを特徴とする請求項１又は２に記載の浴室暖房換気装置。
【請求項４】
直管形状とした前記吸気ダクト接続部と、曲管形状とした前記排気ダクト接続部とを備えたことを特徴とする請求項１又は２に記載の浴室暖房換気装置。
【請求項５】
曲管形状とした前記吸気ダクト接続部と、曲管形状とした前記排気ダクト接続部とを備えたことを特徴とする請求項１又は２に記載の浴室暖房換気装置。
【請求項６】
前記ダクト接合部が一体成形品からなることを特徴とする請求項１乃至５に記載の浴室暖房換気装置。
【請求項７】
前記ダクト接合部と排気ダクト接続部の間に、閉止時の角度が水平面に対して９０度より数度少なく設定された屋外からの逆風を防止するダンパー部を設けたことを特徴とする請求項１乃至５に記載の浴室暖房換気装置。
【発明の詳細な説明】
【０００１】
【発明の属する技術分野】
本発明は、浴室の天井に据付けられた浴室暖房換気装置で浴室と隣接する別室との換気を同時に行うようにした浴室暖房換気装置に関する。
【０００２】
【従来の技術】
近年、住宅の高気密化等により浴室や脱衣室の換気を十分に行うことができない場合があり、浴室等の壁や天井にカビが発生し易いことが問題となっていた。
【０００３】
また、住宅事情の変化により、洗濯物を乾かすための物干場を確保することが困難な場合も少なくなく、浴室等を物干場として使用することが提案されていた。
【０００４】
かかる要求に対して、例えば特開平１０−７３２９９号公報におけるような浴室暖房換気装置が提案されていた。
【０００５】
上記公報に記載の浴室暖房換気装置は、浴室の天井に据付けられ内部に設けられた熱交換器で浴室の空気を加熱し、隣接する別室の天井に据付けられた吸気口から吸気ダクトを介して本体へ空気を導くと共に、この空気を浴室内の空気と共に屋外に排気ダクトを介して排気するものであった。
【０００６】
【発明が解決しようとする課題】
しかしながら、このような従来技術では、ダクト接続作業を行うためにダクト接続部の近くの天井に点検口を設ける必要があり、これが工事費のコストアップの要因になると共に、点検口のためのスペースが必要となると言った問題があった。
【０００７】
そこで、本発明は浴室に浴室暖房換気装置を設けた場合に、前記浴室に隣接する別室の換気が同時に行え、かつ、設置工事が容易に行える浴室暖房換気装置を提供することを目的とする。
【０００８】
【課題を解決するための手段】
上記課題を解決するため、請求項１にかかる発明は、浴室の天井に設けられて、前記浴室の空気とこの浴室に隣接する別室の空気とを排気する換気部及び前記浴室内を暖房する加熱部が収納された本体と、前記別室の天井に設けられた吸気口と、この吸気口に接続された吸気ダクトと、前記本体からの排気を屋外に導く排気ダクトと、前記本体と前記吸気ダクト、並びに前記本体と前記排気ダクトとの間に介在し、これらを連結するダクト統合管とを有する浴室暖房換気装置において、前記ダクト統合管は、前記本体に接続されるダクト接合部と、前記排気ダクトに接続される排気ダクト接続部と、前記吸気ダクトに接続される吸気ダクト接続部とで構成され、前記ダクト接合部は、内部が二つに区画され、その一方に前記本体から排気される空気が通る排気通路部を成し他方に本体へ吸気される空気が通る吸気通路部を成すと共に、前記排気通路部及び前記吸気通路部を本体に接続する第一の端部と、前記排気通路部を前記排気ダクト接続部に接続する第二の端部と、前記吸気通路部を前記吸気ダクト接続部に接続する第三の端部とを有し、前記排気ダクト接続部と前記吸気ダクト接続部とは、前記ダクト接合部の第二の端部と第三の端部のどちらにも接続可能に構成することを特徴とする。
【０００９】
請求項２にかかる発明は、前記ダクト接合部に、前記吸気通路部を前記吸気ダクト接続部に接続可能に構成された第四の端部を設けると共に、この第四の端部に接続される閉塞板を設け、この閉塞板と前記吸気ダクト接続部とは、前記ダクト接合部の第三の端部と第四の端部のどちらにも接続可能に構成することを特徴とする。
【００１０】
請求項３にかかる発明は、直管形状とした前記吸気ダクト接続部と、直管形状とした前記排気ダクト接続部とを備えたことを特徴とする。
【００１１】
請求項４にかかる発明は、直管形状とした前記吸気ダクト接続部と、曲管形状とした前記排気ダクト接続部とを備えたことを特徴とする。
【００１２】
請求項５にかかる発明は、曲管形状とした前記吸気ダクト接続部と、曲管形状とした前記排気ダクト接続部とを備えたことを特徴とする。
【００１３】
請求項６にかかる発明は、前記ダクト接合部が一体成形品からなることを特徴とする。
【００１４】
請求項７にかかる発明は、前記ダクト接合部と排気ダクト接続部の間に、閉止時の角度を水平面に対して９０度より数度少なく成して、屋外からの逆風を防止するダンパー部を設けたことを特徴とする。
【００１５】
【発明の実施の形態】
本発明の実施例を図１を参照して説明する。浴室暖房換気装置１０は、浴室の天井に据付けられた浴室暖房換気装置１０の本体１１と、浴室に隣接する別室の天井に据付けられた吸気口１８と、この吸気口１８に接続された吸気ダクト１４と、本体からの排気を屋外に導く排気ダクト１３と、本体１１と吸気ダクト１４、並びに本体１１と排気ダクト１３との間に介在し、これらを連結するダクト統合管１２と、浴室の空気を加熱する温水を供給する熱源機１５とを有する。
【００１６】
次に浴室暖房換気装置１０の本体１１について、図２から図４を参照して説明する。  本体１１は、浴室の空気を吸気してこれを加熱した後、再度浴室に吹出す加熱部３１、浴室やこの浴室に隣接する別室の空気を換気する換気部３２、加熱部３１や換気部３２を駆動制御する制御部３３、加熱部３１と換気部３２と制御部３３とを収納する本体ケース３４、浴室の空気を吸気して加熱された空気を吹出すともに本体１１の外観部となるグリル２０等を備えている。
【００１７】
グリル２０は、４方の周辺部に第１〜第４吹出口２６〜２９を開閉するように第１〜第４ルーバ２２〜２５を備え、この第１〜第４ルーバ２２〜２５により温風の吹出方向を適当な向きに設定するようになっている。
【００１８】
また、グリル２０の中央部には、裏面にエアフィルタが着脱自在に設けられると共にグリル２０に開閉可能、かつ着脱自在に設けられた、浴室の空気を吸気するパネル３０が設けられている。
【００１９】
本体ケース３４内は、仕切板３５により加熱部３１と換気部３２と制御部３３とに区画されていて、少なくとも制御部３３には浴室の湿度の高い空気が侵入しないようになっている。
【００２０】
加熱部３１は、三辺からなる概略「コ」字状に形成されて、浴室の空気を熱源機１５から循環してきた温水と熱交換させる熱交換器３６、浴室の空気を吸気して熱交換器３６を介して温風として浴室に吹出す循環用送風機３７等により構成されている。
【００２１】
換気部３２は、内部カバー２１に設けられている浴室の換気用空気が吸入される浴室換気吸気口３８、浴室及びこの浴室に隣接する別室の空気を吸気して、ダクト統合管１２を介して排気ダクト１３へと排気する換気用送風機３９、本体ケース３４に接続されたダクト統合管１２が本体ケース３４から抜けないようにする爪板４０（図５を参照）等により構成されている。
【００２２】
次にダクト統合管１２について、図５と図６を参照して説明する。ダクト統合管１２は、本体ケース３４に接続されたダクト接合部４１と、一端がダクト接合部４１に接続された吸気ダクト接続部４４と、ダクト接合部４１に接続された閉塞板４３と、一端がダクト接合部４１に接続された屋外からの逆風を防止するダンパー部５６と、一端がダンパー部５６に接続された排気ダクト接続部４２を有している。
【００２３】
本体ケース３４にダクト統合管１２を取付ける手順は、図５に示すように、先ず本体ケース３４内部から外に手を出し、あらかじめ排気ダクト１３と吸気ダクト１４を接続したダクト統合管１２を把持して本体ケース３４の内側に引込む。その後、爪板４０を差込んでダクト統合管１２を本体ケース３４に固定することにより行われる。このようにダクト接続作業は、本体ケース３４内から行う事が出来るので本体１１の近くの天井に点検口を設ける必要がなく、これにより工事費のコストアップを防ぐことが出来る。
【００２４】
次にダクト接合部４１について、図７を参照して説明する。ダクト接合部４１は、略直方体で内部が二つに区画され、その一方に本体１１から排気される空気が通る排気通路部４５を成し、他方に本体１１へ吸気される空気が通る吸気通路部４６を成すと共に、排気通路部４５及び吸気通路部４６を本体１１に接続する第一の端部７１と、排気通路部４５を排気ダクト１３にダンパー部５６と排気ダクト接続部４２とを介して接続する第二の端部７２と、吸気通路部４６を吸気ダクト１４に吸気ダクト接続部４４を介して接続する第三の端部７３と、吸気通路部４６を吸気ダクト接続部４４に接続可能に構成された第四の端部７４とを有する。
【００２５】
なお、ダクト接合部４１の第一の端部７１に対する、残りの第二から第四の端部７２，７３，７４の構成は、図５の例に限定されるものではなく、様々な条件に合わせて種々に構成してもよい。またダクト接合部４１は、第四の端部７４を備えなくてもよい。
【００２６】
また、上述したようにダクト接合部４１は、複雑な形状をしているため、金属板等による組立部品とすると部品点数が増えコストアップとなるので、樹脂等による一体成形品とすることが望ましい。また一体成形品とすれば、排気通路部４５と吸気通路部４６との間の空気漏れも防ぐことができ、換気性能を向上することができる。
【００２７】
ここで、この浴室暖房換気装置１０の換気用空気の流れについて説明する。浴室の換気用空気は、本体１１のパネル３０から、浴室換気吸気口３８を通って換気用送風機３９に吸い込まれる。また、浴室に隣接する別室の換気用空気は、別室の天井に設けられた吸気口１８から、吸気ダクト１４、吸気ダクト接続部４４、ダクト接合部４１の吸気通路部４６を順に通過し、本体１１の浴室換気吸気口３８を通って換気用送風機３９に吸い込まれる。換気用送風機３９で加速された、浴室と浴室に隣接する別室の換気用空気は、ダクト接合部４１の排気通路部４５、排気ダクト接続部４２、排気ダクト１３を順に通過して、屋外へ排気される。
【００２８】
排気ダクト接続部４２は、図６では、９０度曲管形状を表示したが、本発明はこれに限定されるものではなく、図８に示すように、直管形状（図８（Ａ））や４５度曲管形状（図８（Ｂ））の何れでも選択して使用することができる。
【００２９】
また、排気ダクト接続部４２は、図９に示すように、ダクト接合部４１の第二の端部７２と相対の一端８１を持ち、この一端８１のビス貫通穴９２と第二の端部７２のビス締結穴９３を合わせてビス９１を締結することにより、互いの接続部から空気が漏れることなく、ダクト接合部４１に固定されると共に、排気ダクト接続部４２の他端８２に、排気ダクト１３が挿入され、さらにテープで固定される。
【００３０】
吸気ダクト接続部４４は、図６では、直管形状を表示したが、本発明はこれに限定されるものではなく、図８に示すように、９０度曲管形状（図８（Ｃ））や４５度曲管形状（図８（Ｂ））の何れでも選択して使用することができる。
【００３１】
また、吸気ダクト接続部４４は、図９に示すように、ダクト接合部４１の第三の端部７３と相対の一端８１を持ち、この一端８１のビス貫通穴９２と第三の端部７３のビス締結穴９３を合わせてビス９１を締結することにより、互いの接続部から空気が漏れることなく、ダクト接合部４１に固定されると共に、吸気ダクト接続部４４の他端８２に、吸気ダクト１４が挿入され、さらにテープで固定される。
【００３２】
さらに、排気ダクト接続部４２と吸気ダクト接続部４４は、ダクト接合部４１との接続部となる一端８１を同一形状に形成することにより、互いに取り替えて使用することができる。これにより設置現場で、都合のよい形状のダクト接続部を選んで取り替えて使用することが可能となる。
【００３３】
閉塞板４３は、ダクト接合部４１の第四の端部７４に、互いの接続面が相対するように空気が漏れることなく、ビスにて固定される。
【００３４】
また、閉塞板４３と吸気ダクト接続部４４は、たがいに取り替えて使用することができる。このため設置現場で、ダクト接合部４１の第三の端部７３と第四の端部７４の内の、都合のよい端部に吸気ダクト接続部４４を固定することが可能となる。
【００３５】
ダンパー部５６は、ダンパー外枠５７と、ダンパー５８と、ダンパー駆動用のモーター５９とから構成されている。ダンパー５８は、ダンパー外枠５７の上端部の穴にダンパー５８の軸を挿入することにより、これを支点にして開閉する構成で、閉止時の角度を水平面に対して９０度より数度少なく成して、モーター５９が設置されなくても自重で閉止する構造となっている。
【００３６】
また、ダンパー部５６は、他の場所に設置することも可能で、ダクト統合管１２は、ダンパー部５６を含まない構成の場合も実施が可能である。またダンパー部５６は、モーター５９を設置することにより、開口時の通風抵抗を少なくすることができるがモーター５９を設置せずとも換気用送風機３９の送風によって開口しかつ逆風防止の機能を発揮することができる。
【００３７】
このように、浴室に隣接する別室の空気を吸気ダクト１４を介して浴室暖房換気装置１０に吸気し、浴室の空気と共に排気ダクト１３を介して排気するようにしたので、浴室にのみ浴室暖房換気装置１０を設けた場合であっても、浴室に隣接する別室の換気が行え、かつ、１本の排気ダクト１３で排気できるようになって、浴室に隣接する別室に専用の換気装置を設ける必要がなくなり、コストアップを抑制することができると共に、点検口５５を天井に設置する必要がなくなるため作業性の低下を防止することが可能になる。
【００３８】
【発明の効果】
以上説明したように、請求項１にかかる発明によれば、ダクト統合管をダクト接合部、排気ダクト接続部及び吸気ダクト接続部により形成し、排気ダクト接続部と吸気ダクト接続部とがダクト接合部の第二の端部と第三の端部のどちらにも接続可能にするようにしたので、施工作業が容易になると共に例えば浴室にのみ浴室暖房換気装置を設けた場合であっても浴室に隣接する別室の換気が行え、かつ、１本の排気ダクトで排気できるようになる。
【００３９】
請求項２にかかる発明によれば、ダクト統合管をダクト接合部、排気ダクト接続部、吸気ダクト接続部および閉塞板により形成し、吸気ダクト接続部と閉塞板とがダクト接合部の第三の端部と第四の端部ののどちらにも接続可能に構成することにより、施工時に吸気ダクト接続部と閉塞板とを付け替えることが可能となり、施工作業が容易になる。
【００４０】
請求項３にかかる発明によれば、直管形状とした吸気ダクト接続部と、直管形状とした排気ダクト接続部で構成されているため、ダクト統合管の組立作業が容易になるとともに施工作業が容易になる。
【００４１】
請求項４にかかる発明によれば、直管形状とした吸気ダクト接続部と、曲管形状とした排気ダクト接続部で構成されているため、施工作業が容易になる。
【００４２】
請求項５にかかる発明によれば、曲管形状とした吸気ダクト接続部と、曲管形状とした排気ダクト接続部で構成されているため、ダクト統合管の組立作業が容易になるとともに施工作業が容易になる。
【００４３】
請求項６にかかる発明によれば、ダクト接合部が一体成形の樹脂部品等からなることにより、空気漏れの防止による換気性能を向上、コストの低減が可能となる。
【００４４】
請求項７にかかる発明によれば、ダクト接合部と排気ダクト接続部の間に逆風を防止するダンパー部を設け、このダンパーの閉止時の角度を水平面に対して９０度より数度少なくしたことにより閉止時の風漏れを防止する。
【図面の簡単な説明】
【図１】本発明の一実施例の浴室暖房換気装置の据付状態を示す概略図である。
【図２】浴室暖房換気装置の本体の外観斜視図である。
【図３】図２の状態からグリルを取除いた内部構成を示す浴室暖房換気装置の斜視図である。
【図４】図３の状態からさらに内部カバーを取除いた内部構成を示す浴室暖房換気装置の分解斜視図である。
【図５】ダクト統合管と排気ダクト、吸気ダクト及び本体ケースの位置関係を示す分解斜視図である。
【図６】ダクト統合管の分解斜視図である。
【図７】ダクト接合部を示すものであり、図７（Ａ）は、ダクト接合部４１の上面図、図７（Ｂ）は、ダクト接合部４１の正面図、図７（Ｃ）は、ダクト接合部４１の左側面図、図７（Ｄ）は、ダクト接合部４１の右側面図である。
【図８】図８（Ａ）ないし図８（Ｃ）は三種類のダクト接続部の天面図である。
【図９】ダクト接合部と排気ダクト接続部及び吸気ダクト接続部の組立方法を示す分解斜視図である。
【符号の説明】
１０  浴室暖房換気装置
１１  本体
１２  ダクト統合管
１３  排気ダクト
１４  吸気ダクト
３４  本体ケース
４１  ダクト接合部
４２  排気ダクト接続部
４４  吸気ダクト接続部
【図１】
0004017291.tif 000002
【図２】
0004017291.tif 000003
【図３】
0004017291.tif 000004
【図４】
0004017291.tif 000005
【図５】
0004017291.tif 000006
【図６】
0004017291.tif 000007
【図７】
0004017291.tif 000008
【図８】
0004017291.tif 000009
【図９】
0004017291.tif 000010